(57)【要約】【課題】遊技機の制御特性に合わせて、実際の作動状態に近い状態で動作確認試験を行うことが出来ると共に、動作確認試験を効率よく行うことが出来る、新規な構造の遊技機を提供することを目的とする。【解決手段】主制御ＣＰＵ７６が実装されている制御基板７８およびサブ制御ＣＰＵ８４が実装されている制御基板８６の何れか一つに主制御用出力端子取付領域９６およびサブ制御用出力端子取付領域１０４が形成されており、主制御用出力端子取付領域９６に取り付けられる主制御用試験信号出力端子９４と主制御ＣＰＵ７６に設けられた主制御用試験信号出力ピン９２が直接に接続されていると共に、サブ制御用出力端子取付領域１０４に取り付けられるサブ制御用試験信号出力端子１０２とサブ制御ＣＰＵ８４に設けられたサブ制御用試験信号出力ピン１２６が直接に接続されている。【選択図】　　　図６
2004105467.tif 000002
【特許請求の範囲】
【請求項１】
遊技動作を全体的に制御する主制御ＣＰＵと遊技動作を行う作動部を該主制御ＣＰＵからの制御信号に基づいて制御するサブ制御ＣＰＵが互いに異なる制御基板上に実装されており、該主制御ＣＰＵに関する確認信号を主制御用出力端子から外部に取り出すようになっていると共に、該サブ制御ＣＰＵに関する確認信号をサブ制御用出力端子から外部に取り出すようになっている遊技機において、
前記主制御ＣＰＵに該主制御ＣＰＵに関する確認信号を出力する主制御用確認信号出力ピンを設け、該主制御用確認信号出力ピンから出力された該主制御ＣＰＵに関する確認信号を外部に取り出す前記主制御用出力端子を取り付けることが出来る主制御用出力端子取付領域を該主制御ＣＰＵが実装されている制御基板および前記サブ制御ＣＰＵが実装されている制御基板の何れか一つに形成すると共に、該サブ制御ＣＰＵに該サブ制御ＣＰＵに関する確認信号を出力するサブ制御用確認信号出力ピンを設け、該サブ制御用確認信号出力ピンから出力された該サブ制御ＣＰＵに関する確認信号を外部に取り出す前記サブ制御用出力端子を取り付けることが出来るサブ制御用出力端子取付領域を該主制御用出力端子取付領域が形成された制御基板と同一の制御基板に形成し、更に、該主制御用確認信号出力端子と該主制御用確認信号出力ピンを主制御用確認信号配線によって他の制御ＣＰＵを介さないで直接に接続すると共に、該サブ制御用確認信号出力端子と該サブ制御用確認信号出力ピンをサブ制御用確認信号配線によって他の制御ＣＰＵを介さないで直接に接続することを特徴とする遊技機。
【請求項２】
前記主制御用出力端子取付領域および前記サブ制御用出力端子取付領域が形成されている前記制御基板は、遊技機の裏側において該主制御用出力端子取付領域および該サブ制御用出力端子取付領域が形成されていない他の制御基板よりも手前側に位置せしめられている請求項１に記載の遊技機。
【請求項３】
前記主制御用出力端子取付領域および前記サブ制御用出力端子取付領域が形成されている制御基板は、前記主制御ＣＰＵが実装されている制御基板とされている請求項１又は２に記載の遊技機。
【発明の詳細な説明】
【０００１】
【技術分野】
本発明は、外部に確認信号を出力可能な遊技機に関するものである。
【０００２】
【背景技術】
近年、パチンコ機等の遊技機は、遊技者を楽しませるために凝った演出をするようになってきており、それに伴って、遊技機の動作内容が複雑になってきている。そこで、近年の遊技機においては、遊技機における遊技動作を全体的に制御する主制御ＣＰＵは、例えば、変動図柄を表示する図柄表示装置を制御する図柄制御ＣＰＵや賞球の払出を行う賞球払出装置の制御を行う払出制御ＣＰＵ等のように遊技動作を行う作動部を制御するサブ制御ＣＰＵに対して制御信号を送信するのみで、専らサブ制御ＣＰＵが主制御ＣＰＵから送信された制御信号に基づいて作動部を制御するようになっている。
【０００３】
このような主制御ＣＰＵおよびサブ制御ＣＰＵは、製作性や組付け作業性等の観点から、単一の制御基板に実装された状態で遊技機の裏側に配設されることが望ましいが、遊技機の裏側には、賞球タンク等の各種の部品が配設されていることから、制御基板の配設スペースが制限されてしまい、それによって、主制御ＣＰＵおよびサブ制御ＣＰＵを単一の制御基板に実装した状態で遊技機の裏側に配設することが困難になってしまうという問題がある。
【０００４】
そこで、このような問題に対処するために、主制御ＣＰＵおよびサブ制御ＣＰＵを、それぞれ、互いに異なる制御基板に実装することが考えられる。このように主制御ＣＰＵおよびサブ制御ＣＰＵを互いに異なる制御基板に実装することによって、各制御基板を離隔せしめた状態で、或いは、一部を重ね合わせた状態で配設することが可能となり、遊技機の裏側における限られた配設スペースにおいても、各制御基板を有利に配設することが出来るのである。
【０００５】
ところで、パチンコ機等の遊技機は、例えば、メーカーから出荷する前等において、所期の遊技動作を行うか否かを確認する動作確認試験を行う場合がある。
そこにおいて、動作確認試験を行う場合には、遊技機の制御特性に合わせて実際の作動に近い状態で行うことが要求される。そこで、遊技動作を全体的に制御する主制御ＣＰＵに関する確認信号を主制御ＣＰＵが実装された制御基板に取り付けられた複数の確認信号端子から取り出すと共に、図柄制御ＣＰＵに関する確認信号を図柄制御ＣＰＵが実装された制御基板に取り付けられた複数の確認信号端子から取り出す遊技機が提案されている（例えば、特許文献１参照。）。
【０００６】
【特許文献１】
特開２０００−３００８１２号公報　（第６−７項、第５図）
【０００７】
しかしながら、このような遊技機においては、各制御基板に取り付けられる確認信号端子から確認信号を取り出すようになっていることから、例えば、一方の制御基板に取り付けられる確認信号端子が他方の制御基板で隠れてしまう場合には、一方の制御基板に取り付けられる確認信号端子が他方の制御基板で隠れないようにした状態で動作確認試験を行わなければならないという問題があったのである。
【０００８】
【解決課題】
ここにおいて、本発明は、上述の如き事情を背景として為されたものであって、その解決課題とするところは、遊技機の制御特性に合わせて、実際の作動状態に近い状態で動作確認試験を行うことが出来ると共に、動作確認試験を効率よく行うことが出来る、新規な構造の遊技機を提供することにある。
【０００９】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することが出来る発明思想に基づいて認識されるものであることが理解されるべきである。
【００１０】
すなわち、本発明の第一の態様は、遊技動作を全体的に制御する主制御ＣＰＵと遊技動作を行う作動部を該主制御ＣＰＵからの制御信号に基づいて制御するサブ制御ＣＰＵが互いに異なる制御基板上に実装されており、該主制御ＣＰＵに関する確認信号を主制御用出力端子から外部に取り出すようになっていると共に、該サブ制御ＣＰＵに関する確認信号をサブ制御用出力端子から外部に取り出すようになっている遊技機において、前記主制御ＣＰＵに該主制御ＣＰＵに関する確認信号を出力する主制御用確認信号出力ピンを設け、該主制御用確認信号出力ピンから出力された該主制御ＣＰＵに関する確認信号を外部に取り出す前記主制御用出力端子を取り付けることが出来る主制御用出力端子取付領域を該主制御ＣＰＵが実装されている制御基板および前記サブ制御ＣＰＵが実装されている制御基板の何れか一つに形成すると共に、該サブ制御ＣＰＵに該サブ制御ＣＰＵに関する確認信号を出力するサブ制御用確認信号出力ピンを設け、該サブ制御用確認信号出力ピンから出力された該サブ制御ＣＰＵに関する確認信号を外部に取り出す前記サブ制御用出力端子を取り付けることが出来るサブ制御用出力端子取付領域を該主制御用出力端子取付領域が形成された制御基板と同一の制御基板に形成し、更に、該主制御用確認信号出力端子と該主制御用確認信号出力ピンを主制御用確認信号配線によって他の制御ＣＰＵを介さないで直接に接続すると共に、該サブ制御用確認信号出力端子と該サブ制御用確認信号出力ピンをサブ制御用確認信号配線によって他の制御ＣＰＵを介さないで直接に接続することを、特徴とする。
【００１１】
このような本態様に従う構造とされた遊技機においては、主制御用出力端子取付領域とサブ制御用出力端子取付領域が、主制御ＣＰＵが実装されている制御基板およびサブ制御ＣＰＵが実装されている制御基板の何れか一つの制御基板に形成されていることから、主制御用出力端子取付領域に主制御用出力端子を取り付ける作業およびサブ制御用出力端子取付領域にサブ制御用出力端子を取り付ける作業を効率良く行うことが出来るのである。
【００１２】
そこにおいて、本態様に係る遊技機においては、主制御ＣＰＵに設けられた主制御用確認信号出力ピンと主制御用出力端子取付領域に取り付けることが出来る主制御用出力端子が他の制御ＣＰＵを介さないで直接に接続されていると共に、サブ制御ＣＰＵに設けられたサブ制御用確認信号出力ピンとサブ制御用出力端子取付領域に取り付けることが出来るサブ制御用出力端子が他の制御ＣＰＵを介さないで直接に接続されていることから、主制御ＣＰＵは、主制御ＣＰＵに関する確認信号を外部に直接出力することが出来るのであり、また、サブ制御ＣＰＵもサブ制御ＣＰＵに関する確認信号を外部に直接出力することが出来るのである。
【００１３】
従って、本態様に係る遊技機においては、主制御ＣＰＵおよびサブ制御ＣＰＵの各制御ＣＰＵに対して各制御ＣＰＵが制御する制御内容についての確認信号以外の確認信号を出力させないようにすることが可能となり、それによって、各制御ＣＰＵに対して他の制御ＣＰＵから出力される確認信号の仲介等を行わないようにすることが可能となり、遊技機の動作確認試験を遊技機の実際の作動状態に近い状態で行うことが出来るのである。
【００１４】
また、本態様においては、主制御ＣＰＵに関する確認信号が主制御用確認信号出力ピンから出力されるようになっていると共に、サブ制御ＣＰＵに関する確認信号がサブ制御用確認信号出力ピンから出力されるようになっていることから、主制御ＣＰＵから出力される確認信号と主制御ＣＰＵによって制御された遊技動作との関連性およびサブ制御ＣＰＵから出力される確認信号とサブ制御ＣＰＵによって制御された遊技動作との関連性を高度に確保することが出来るのであり、それによって、主制御ＣＰＵおよびサブ制御ＣＰＵから出力される確認信号に対する信頼性を確保することが出来るのである。
【００１５】
さらに、本態様においては、主制御ＣＰＵに関する確認信号が主制御用確認信号出力ピンと主制御用出力端子とを他の制御ＣＰＵを介さないで直接に接続する主制御用確認信号配線を通じて取得されるようになっていると共に、サブ制御ＣＰＵに関する確認信号がサブ制御用確認信号出力ピンとサブ制御用出力端子とを他の制御ＣＰＵを介さないで直接に接続するサブ制御用確認信号配線を通じて取得されるようになっていることから、主制御用出力端子およびサブ制御用出力端子から取得された信号が確認信号であるのか、それとも、他の制御信号であるのかの判断を不要とすることが可能となり、それによって、例えば、確認信号を受信する試験装置に対して予め確認信号と他の制御信号を区別させるための作業を不要とすることが可能となるのである。
【００１６】
また、本態様においては、主制御用出力端子取付領域およびサブ制御用出力端子取付領域が一つの制御基板に形成されていることから、それら主制御用出力端子取付領域およびサブ制御用出力端子取付領域が形成されていない制御基板において、確認信号出力端子取付領域を確保するために制御基板上に配設される各種の回路素子の配置に関する設計自由度を向上することが出来るのであり、それによって、遊技機の通常の使用状態におけるノイズ対策を考慮した各種回路素子の配置を行うことが出来るのである。
【００１７】
なお、本態様における作動部とは、例えば、普通図柄表示装置や特別図柄表示装置，賞球払出装置等のように遊技者が遊技を行うために必要な動作をする装置のことをいうものとする。また、サブ制御ＣＰＵとは、普通図柄表示装置や特別図柄表示装置を作動せしめる図柄制御用ＣＰＵや賞球払出装置を作動せしめるための賞球払出用ＣＰＵ等のように、遊技者が遊技を行うために必要な作動部を作動制御する制御ＣＰＵをいうものとする。更に、主制御ＣＰＵに関する確認信号としては、例えば、大入賞口の入口を塞ぐ扉を開閉駆動する大入賞口ソレノイド駆動するために出力したソレノイド信号等のように主制御ＣＰＵから出力された信号や、大入賞口の入口が開放されていることを知らせる信号や特別図柄表示装置において特別図柄が大当たり図柄で停止したことを知らせる信号等のように、主制御ＣＰＵが出力した信号に基づく結果を知らせる信号、更には、特別図柄表示装置において特別図柄の変動を開始するための始動口センサからの信号等のように、主制御ＣＰＵに入力される信号等をいうものとする。更にまた、サブ制御ＣＰＵに関する確認信号は、例えば、特別図柄表示装置において特別図柄が変動中であることを知らせる信号や特別図柄表示装置において特別図柄の変動が停止したことを知らせる信号等のように、サブ制御ＣＰＵが作動せしめる作動部の作動状態を知らせる信号等をいうものとする。また、本態様における主制御用確認信号出力端子およびサブ制御用確認信号出力端子は、何れも、複数のピンを備えたコネクタが好適に採用される。更に、本態様における主制御用確認信号配線およびサブ制御用確認信号配線は、制御基板上に形成されたプリント配線や制御基板と制御基板を接続するハーネス等で構成される配線をいうものとする。
【００１８】
また、本発明の第二の態様は、前記第一の態様に係る遊技機において、前記主制御用出力端子取付領域および前記サブ制御用出力端子取付領域が形成されている前記制御基板は、遊技機の裏側において該主制御用出力端子取付領域および該サブ制御用出力端子取付領域が形成されていない他の制御基板よりも手前側に位置せしめられていることを、特徴とする。このような本態様に従う構造とされた遊技機においては、主制御用出力端子取付領域に主制御用出力端子を取り付ける作業およびサブ制御用出力端子取付領域にサブ制御用出力端子を取り付ける作業を一層効率良く行うことが出来るのである。
【００１９】
また、本発明の第三の態様は、前記第一又は第二の態様に係る遊技機において、前記主制御用出力端子取付領域および前記サブ制御用出力端子取付領域が形成されている制御基板は、前記主制御ＣＰＵが実装されている制御基板とされていることを、特徴とする。このような本態様に従う構造とされた遊技機においては、一般に、サブ制御ＣＰＵが実装されている制御基板よりも大きい主制御ＣＰＵが実装されている制御基板を利用することにより、主制御用出力端子取付領域およびサブ制御用出力端子取付領域を形成するスペースを有利に確保することが出来るのである。
【００２０】
【発明の実施形態】
以下、本発明を更に具体的に明らかにするために、本発明の実施形態について、図面を参照しつつ、詳細に説明する。
【００２１】
先ず、図１には、本発明の第一の実施形態としてのパチンコ機１０が示されている。このパチンコ機１０は、遊技盤１２上に配設された特別図柄始動口１４に遊技球が入賞すると、賞球が上皿１６に排出されると共に、特別図柄表示装置１８において、特別図柄の変動が開始されるようになっている。
【００２２】
より詳細には、パチンコ機１０は中枠２０を備えており、かかる中枠２０が幅方向一方の端部を中心に回動可能な状態で外枠２２に装着されている。また、中枠２０の前面には、横長な長方形状の皿板２４が幅方向一方の端部を中心に回動可能に装着されており、かかる皿板２４の前面には、遊技球を貯留するための上皿１６が固定されている。
【００２３】
また、中枠２０の前面には、上皿１６の下方において、下皿２６が固定されている。この下皿２６は、パチンコ機１０の裏側において、上皿１６に連通せしめられており、上皿１６内から溢れた遊技球が上皿１６内から下皿２６内に排出されるようになっている。また、下皿２６の右側には、発射ハンドル２８が回動可能に装着されており、かかる発射ハンドル２８の裏側には、図示しない発射モータが装着されている。この発射モータの回転軸には、図示しないクランク機構を介して図示しない打球槌が連結されており、発射ハンドル２８が周方向一方の側に回動操作せしめられることによって発射モータに電源が与えられ、打球槌が上皿１６内に貯留された遊技球を弾き出すようになっている。
【００２４】
さらに、中枠２０の前面には、窓枠３０が幅方向一方の端部を中心に回動可能に装着されている。また、中枠２０の後ろ側には、遊技盤１２を保持するための額縁状の機構盤が固定されており、かかる機構盤によって遊技盤１２が保持された状態下において、遊技盤１２は、窓枠３０によって保持されたガラス窓で覆われている。更に、窓枠３０の幅方向他方の端部には、枠鍵３２が装着されており、かかる枠鍵３２によって中枠２０を外枠２２に対して密着した閉状態に保持するようになっていると共に、皿板２４と窓枠３０を中枠２０に密着した閉状態に保持するようになっている。
【００２５】
また、遊技盤１２の前面には、外レール３４および内レール３６が設けられており、打球槌によって弾かれた遊技球は、外レール３４および内レール３６の間を通って遊技盤１２の上部に放出されるようになっている。そして、遊技盤１２の上部に放出された遊技球は、遊技盤１２の前面に打ち込まれた図示しない複数の遊技釘に当たりながら落下するようになっている。
【００２６】
さらに、遊技盤１２の前面には、額縁状の台板３８が固定されており、かかる台板３８には、特別図柄表示装置１８および普通図柄表示装置４０が固定されている。特別図柄表示装置１８は、カラー液晶表示器からなるものであり、特別図柄表示装置１８には、「０」〜「１２」の数字図柄が横３列に表示されるようになっている。また、普通図柄表示装置４０は、カラー液晶表示器によって構成されており、普通図柄表示装置４０には、「３」および「７」の数字図柄が横２列に表示されるようになっている。
【００２７】
また、遊技盤１２の前面には、特別図柄表示装置１８の下方に位置して特別図柄始動口１４が設けられている。この特別図柄始動口１４は、上側が開口するポケット状をなすものであり、特別図柄始動口１４内には、特別図柄始動センサ４２（図６参照）が設けられている。この特別図柄始動センサ４２は、近接スイッチによって構成されており、特別図柄始動口１４内に遊技球が入賞したことを検出して特別図柄始動信号を出力するようになっている。また、特別図柄始動口１４の開口部には、一対の羽根４４，４４が配設されており、特別図柄始動口１４を遊技盤１２に取り付ける台板の裏側に配設されたソレノイド４６（図６参照）への通電によりクランクがバネの付勢力に抗してソレノイド４６側に引き付けられて一対の羽根４４，４４が開き、特別図柄始動口１４の入口の大きさが拡大するようになっている一方、ソレノイド４６への通電の停止によりクランクがバネの付勢力で元の位置に戻り、一対の羽根４４，４４が閉じて特別図柄始動口１４の入口の大きさが通常の大きさとなる。
【００２８】
さらに、遊技盤１２の前面には、特別図柄始動口１４の左右両側において、それぞれ、始動ゲート４８，４８が配設されている。この始動ゲート４８は、近接スイッチによって構成された通過スイッチ５０（図６参照）を備えており、かかる通過スイッチ５０は、始動ゲート４８を遊技球が通過したことを検出すると、通過信号を出力するようになっている。
【００２９】
また、遊技盤１２の前面には、特別図柄始動口１４の下方に位置して横長の入賞口用台板５２が固定されており、かかる入賞口用台板５２の長手方向中央部分には、大入賞口５４が形成されている。更に、大入賞口５４内には、大入賞口センサ５６（図６参照）が設けられており、大入賞口５４内に遊技球が入球したことを検出して大入賞口入賞信号を出力するようになっている。また、大入賞口５４の前面には、扉５８が軸を中心に回動可能に装着されている。この扉５８は、入賞口用台板５２の裏側に固定された大入賞口ソレノイド６０（図６参照）のプランジャにクランク機構を介して連結されている。そして、扉５８は、大入賞口ソレノイド６０への断電時には、大入賞口５４の入口を塞ぐようになっている一方、大入賞口ソレノイド６０への通電時には、大入賞口５４の入口を開放するようになっている。また、入賞口用台板５２の左右両端部には、それぞれ、入賞口６２（図６参照）が設けられている。この入賞口６２は、上側が開口するポケット状を呈しており、かかる入賞口６２内には、感知手段としての入賞スイッチ６４（図６参照）が配設されている。この入賞スイッチ６４は、近接スイッチにより構成されており、入賞口６２内に遊技球が入賞したことを検出して入賞信号を出力するようになっている。
【００３０】
また、パチンコ機１０の裏側には、図２に示されているように、上端部に位置して賞球タンク６６が設けられており、かかる賞球タンク６６内には、遊技球が貯留されている。更に、パチンコ機１０の裏側には、タンクレール６８および賞球払出装置７０が設けられている。この賞球払出装置７０はタンクレール６８を介して賞球タンク６６に接続されており、賞球払出装置７０内には、賞球タンク６６内からタンクレール６８を通じて遊技球が供給されるようになっている。また、賞球払出装置７０内には、パルスモータからなる賞球モータ７２（図６参照）を駆動源とする賞球払出機構が収容されており、賞球モータ７２の回転軸が単位量回転する毎に賞球払出装置７０内から下方へ一個ずつ遊技球が払い出されるようになっている。また、賞球払出装置７０内には、払い出された遊技球を検出する賞球スイッチ７４（図６参照）が設けられており、賞球スイッチ７４が遊技球を検出すると、払出信号を出力するようになっている。更に、パチンコ機１０の裏側には、賞球払出装置７０と上皿１６を繋ぐ図示しない球通路が設けられており、賞球払出装置７０から放出された遊技球が球通路を介して上皿１６内に供給されるようになっている。
【００３１】
また、パチンコ機１０の裏側には、パチンコ機１０の遊技動作の全体を制御する主制御ＣＰＵ７６（図３参照）が実装されている主基板７８が配設されていると共に、作動部としての普通図柄表示装置４０において普通図柄を変動せしめたり、或いは、特別図柄表示装置１８において特別図柄を変動せしめるサブ制御ＣＰＵとしての図柄制御ＣＰＵ８０（図４参照）が実装されている図柄制御基板８２および作動部としての賞球払出装置７０を構成する賞球モータ７２を駆動せしめて賞球を払い出すサブ制御ＣＰＵとしての払出制御ＣＰＵ８４（図５参照）が実装されている払出制御基板８６が配設されている。そこにおいて、本実施形態では、払出制御基板８６と主基板７８が重ね合わせられた状態で配設されており、主基板７８が手前側に位置せしめられている。なお、パチンコ機１０の裏側には、図示しないスピーカを鳴動制御する音制御部やパチンコ機に設けられた各種のＬＥＤを点灯制御するランプ制御基板も配設されているが、ここでは、図示および説明は省略する。
【００３２】
主基板７８には、図３に示されているように、中継端子８８，パチンコ機１０の遊技動作の全体を制御する主制御ＣＰＵ７６および出力端子９０ａ，ｂ等が実装されており、中継端子８８および出力端子９０ａ，ｂは、それぞれ、主基板７８上に形成された図示しないプリント配線を介して主制御ＣＰＵ７６に電気的に接続されている。また、中継端子８８は複数のピンを備えたコネクタ等で構成されており、図示しない遊技盤中継端子板の端子に接続されており、それによって、中継端子８８は、特別図柄始動センサ４２，通過スイッチ５０，入賞スイッチ６４，大入賞口センサ５６，大入賞口ソレノイド６０，ソレノイド４６等と電気的に接続されるようになっている。更に、主制御ＣＰＵ７６は、制御プログラムや制御処理に必要なデータを格納するＲＯＭおよび各種処理データ等を格納するＲＡＭを内蔵しており、特別図柄始動センサ４２からの特別図柄始動信号を検出すると、特別図柄始動信号の検出時における大当たりカウンタのカウンタ値，図柄カウンタのカウンタ値および変動パターンカウンタのカウンタ値を取得するようになっている。これら大当たりカウンタ，図柄カウンタおよび変動パターンカウンタは、それぞれ、「０」から互いに異なる上限値まで加算された後、再び「０」に戻って加算されるものであり、主制御ＣＰＵ７６は、大当たりカウンタ値，図柄カウンタ値および変動パターンカウンタ値を取得すると、大当たりカウンタ値に基づいて大当たり、ハズレリーチ、ハズレを判定する大当たり判定動作を行うと共に、図柄カウンタ値に基づいて大当たり図柄、ハズレリーチ図柄、ハズレ図柄を設定する図柄設定動作を行い、更に、変動パターンカウンタ値に基づいて変動パターンを設定する変動パターン設定動作を行う。そして、主制御ＣＰＵ７６は、大当たり判定動作，図柄設定動作および変動パターン設定動作を終えると、かかる大当たり判定動作，図柄判定動作および変動パターン設定動作に基づく特別図柄変動指令を、出力端子９０ａから図柄制御ＣＰＵ８０に出力するようになっている。更に、主制御ＣＰＵ７６は、特別図柄の変動を停止する特別図柄変動停止指令を図柄制御ＣＰＵ８０に出力する。
【００３３】
また、主制御ＣＰＵ７６は、通過スイッチ５０からの通過信号を検出すると、通過信号の検出時における当たりカウンタのカウンタ値および図柄カウンタのカウンタ値を取得するようになっている。これら当たりカウンタおよび図柄カウンタは、それぞれ、「０」から互いに異なる上限値まで加算された後、再び「０」に戻って加算されるものであり、主制御ＣＰＵ７６は、当たりカウンタ値および図柄カウンタ値を取得すると、当たりカウンタ値に基づいて当たり又はハズレを判定する当たり判定動作を行うと共に、図柄カウンタ値に基づいて当たり図柄又はハズレ図柄を設定する図柄設定動作を行う。そして、主制御ＣＰＵ７６は、当たり判定動作および図柄設定動作を終えると、かかる当たり判定動作および図柄判定動作に基づく普通図柄変動指令を、出力端子９０ａから図柄制御ＣＰＵ８０に出力するようになっている。また、主制御ＣＰＵ７６は、普通図柄の変動を停止する普通図柄変動停止指令を図柄制御ＣＰＵ８０に出力するようになっている。
【００３４】
さらに、主制御ＣＰＵ７６は、大当たり判定動作の判定結果が大当たりの場合には、大入賞口ソレノイド６０を駆動するために大入賞口ソレノイド駆動信号を中継端子８８から出力するようになっている一方、当たり判定動作の判定結果が当たりの場合には、ソレノイド４６を駆動するためにソレノイド駆動信号を中継端子８８から出力するようになっている。
【００３５】
更にまた、主制御ＣＰＵ７６は、特別図柄始動センサ４２，入賞スイッチ６４および大入賞口センサ５６からの信号を検出すると、払出制御指令を出力端子９０ｂから払出制御ＣＰＵ８４に出力するようになっている。
【００３６】
また、主制御ＣＰＵ７６は、主制御ＣＰＵ７６に関する確認信号を出力するようになっている。そこにおいて、本実施形態では、主制御ＣＰＵ７６に関する確認信号は、主制御ＣＰＵ７６に設けられた主制御ＣＰＵ７６に関する確認信号を出力するための主制御用確認信号出力ピンとしての確認信号出力ピン９２から出力されるようになっている。また、主基板７８には、複数のピンを備えたコネクタ等で構成された主制御用出力端子としての主制御用確認端子９４（図６参照）を取り付けることが出来る主制御用出力端子取付領域としての主制御用確認端子取付領域９６が設けられている。この主制御用確認端子取付領域９６には、図面上では明示されていないが、主制御用確認端子９４が備えている複数のピンを差し込む差込孔や主制御用確認端子９４の取付位置を位置決めする位置決め孔等が形成されている。ここにおいて、本実施形態では、かかる主制御用確認端子取付領域９６には、一つの主制御用確認端子９４を取り付けることが出来るようになっている。また、主制御用確認端子取付領域９６に取り付けることが出来る主制御用確認端子９４の入力側と主制御ＣＰＵ７６における確認信号出力ピン９２は、主基板７８に形成された主制御用プリント配線９８によって電気的に接続されており、それによって、主制御ＣＰＵ７６の確認信号出力ピン９２から出力された主制御ＣＰＵ７６に関する確認信号が主制御用プリント配線９８を介して主制御用確認端子９４から外部に取り出せるようになっている。ここにおいて、本実施形態では、主制御用プリント配線９８は、主制御ＣＰＵ７６の確認信号出力ピン９２と主制御用確認端子９４の入力側を他の制御ＣＰＵを介さないで電気的に接続しているプリント配線である。このことから明らかなように、本実施形態では、主制御用プリント配線９８によって、主制御用確認信号配線が構成されている。また、図面上では明示されていないが、主制御用プリント配線９８上には、確認信号出力ピン９２から出力された確認信号を主制御用確認端子９４における所定のピンから外部に取り出せるようにするために、確認信号分岐手段が設けられている。この確認信号分岐手段は、例えば、複数の出力ポートを有していると共に、主制御ＣＰＵ７６から出力された確認信号を指定された出力ポートから出力する信号分岐装置等で有利に構成することが出来る。更にまた、主制御用確認端子９４には、中継端子８８と主制御用確認端子９４の入力側とを電気的に接続する入力信号用プリント配線１００を介して、特別図柄始動センサ４２および大入賞口センサ５６，入賞スイッチ６４が電気的に接続されており、特別図柄始動信号および大入賞口入賞信号が主制御用確認端子９４から外部に取り出せるようになっている。
【００３７】
また、主基板７８には、複数のピンを備えたコネクタ等で構成されたサブ制御用確認信号出力端子としてのサブ制御用確認端子１０２（図６参照）を取り付けることが出来るサブ制御用出力端子取付領域としてのサブ制御用確認端子取付領域１０４が設けられている。このサブ制御用確認端子取付領域１０４には、図面上では明示されていないが、サブ制御用確認端子１０２が備えている複数のピンを差し込む差込孔やサブ制御用確認端子１０２の取付位置を位置決めする位置決め孔等が形成されている。ここにおいて、本実施形態では、かかるサブ制御用確認端子取付領域１０４には、一つのサブ制御用確認端子１０２を取り付けることが出来るようになっている。また、主基板７８には、複数のピンを備えたコネクタ等で構成された主制御側中継端子１０６が設けられている。更に、主基板７８には、主制御側中継端子１０６とサブ制御用確認端子１０２を直接に電気的に接続するサブ制御用プリント配線１０８が形成されている。ここにおいて、本実施形態では、サブ制御用プリント配線１０８は、主制御ＣＰＵ７６を介さないで主制御側中継端子１０６とサブ制御用確認端子１０２のみを接続するプリント配線である。
【００３８】
また、図柄制御基板８２には、図４に示されているように、入力端子１１０，図柄制御ＣＰＵ８０および出力端子１１２等が実装されており、入力端子１１０および出力端子１１２は、それぞれ、図柄制御基板８２上に形成された図示しないプリント配線を介して図柄制御ＣＰＵ８０に電気的に接続されている。また、入力端子１１０はコネクタ等で構成されており、ハーネス等で主基板７８の出力端子９０ａに電気的に接続されている。更に、出力端子１１２は、コネクタ等で構成されており、ハーネス等で特別図柄表示装置１８および普通図柄表示装置４０に接続されている。そして、図柄制御ＣＰＵ８０は、主制御ＣＰＵ７６からの特別図柄変動指令を検出すると、特別図柄表示装置１８において、特別図柄の変動を開始するようになっていると共に、主制御ＣＰＵ７６からの特別図柄変動停止指令を検出すると、特別図柄判定動作に基づく図柄で特別図柄表示装置１８における特別図柄の変動を停止して、大当たり判定動作の判定結果を遊技者に報知するようになっている。また、図柄制御ＣＰＵ８０は、主制御ＣＰＵ７６からの普通図柄変動指令を検出すると、普通図柄表示装置４０において、普通図柄の変動を開始するようになっていると共に、主制御ＣＰＵ７６からの普通図柄変動停止指令を検出すると、普通図柄判定動作に基づく図柄で普通図柄表示装置４０における普通図柄の変動を停止して、当たり判定動作の判定結果を遊技者に報知するようになっている。
【００３９】
また、図柄制御ＣＰＵ４０は、図柄制御ＣＰＵ８０に関する確認信号を出力するようになっている。そこにおいて、本実施形態では、図柄制御ＣＰＵ８０に関する確認信号は、図柄制御ＣＰＵ８０に設けられた図柄制御ＣＰＵ８０に関する確認信号を出力するためのサブ制御用確認信号出力ピンとしての確認信号出力ピン１１４から出力されるようになっている。また、図柄制御基板８２には、複数のピンを備えたコネクタ等で構成されたサブ制御用確認信号出力端子としての確認用出力端子１１６を取り付けることが出来るサブ制御用出力端子取付領域としての確認用出力端子取付領域１１８が設けられている。この確認用出力端子取付領域１１８には、図面上では明示されていないが、確認用出力端子１１６が備えている複数のピンを差し込む差込孔や確認用出力端子１１６の取付位置を位置決めする位置決め孔等が形成されている。ここにおいて、本実施形態では、確認用出力端子取付領域１１８には、一つの確認用出力端子１１６を取り付けることが出来るようになっている。また、確認用出力端子取付領域１１８に取り付けられた確認用出力端子１１６の入力側と図柄制御ＣＰＵ８０における確認信号出力ピン１１４は、図柄制御基板８２に形成された確認信号用プリント配線１２０によって電気的に接続されており、それによって、図柄制御ＣＰＵ８０の確認信号出力ピン１１４から出力された図柄制御ＣＰＵ８０に関する確認信号が確認信号用プリント配線１２０を介して確認用出力端子１１６から外部に取り出せるようになっている。ここにおいて、本実施形態では、確認信号用プリント配線１２０は、図柄制御ＣＰＵ８０の確認信号出力ピン１１４と確認信号出力端子１１６の入力側を他の制御ＣＰＵを介さないで電気的に接続しているプリント配線である。
また、図面上では明示されていないが、確認信号用プリント配線１２０上には、確認信号出力ピン１１４から出力された確認信号を確認用出力端子１１６における所定のピンから外部に取り出せるようにするために、確認信号分岐手段が設けられている。この確認信号分岐手段は、例えば、複数の出力ポートを有していると共に、図柄制御ＣＰＵ８０から出力された確認信号を指定された出力ポートから出力する信号分岐装置等で有利に構成することが出来る。
【００４０】
また、払出制御基板８６には、図５に示されているように、入力端子１２２ａ，ｂ，払出制御ＣＰＵ８４および出力端子１２４等が実装されており、入力端子１２２および出力端子１２４は、それぞれ、払出制御基板８６上に形成された図示しないプリント配線を介して払出制御ＣＰＵ８４に電気的に接続されている。
また、入力端子１２２ａはコネクタ等で構成されており、ハーネス等で主基板７８の出力端子９０ｂに電気的に接続されている。更に、入力端子１２２ｂは、コネクタなどで構成されており、ハーネス等で賞球払出装置７０に設けられた賞球スイッチ７４（図６参照）に電気的に接続されている。更にまた、出力端子１２４は、コネクタ等で構成されており、ハーネス等で賞球モータ７２に接続されている。そして、払出制御ＣＰＵ８４は、主制御ＣＰＵ７６からの払出制御指令を検出すると、払出制御指令に基づいて賞球モータ７２を駆動するようになっていると共に、賞球スイッチ７４からの信号により所定数の賞球が払い出されたことを検出すると、賞球モータ７２を停止するようになっている。
【００４１】
また、払出制御ＣＰＵ８４は、払出制御ＣＰＵ８４に関する確認信号を出力するようになっている。そこにおいて、本実施形態では、払出制御ＣＰＵ８４に関する確認信号は、払出制御ＣＰＵ８４に設けられた払出制御ＣＰＵ８４に関する確認信号を出力するためのサブ制御用確認信号出力ピンとしての確認信号出力ピン１２６から出力されるようになっている。また、払出制御基板８６には、複数のピンを備えたコネクタ等で構成されたサブ制御側中継端子１２８が取り付けられている。また、サブ制御側中継端子１２８の入力側と払出制御ＣＰＵ８４における確認信号出力ピン１２６は、払出制御基板８６に形成された確認信号用プリント配線１３０によって電気的に接続されており、それによって、払出制御ＣＰＵ８４の確認信号出力ピン１２６から出力された払出制御ＣＰＵ８４に関する確認信号が確認信号用プリント配線１３０を介してサブ制御側中継端子１２８から外部に取り出せるようになっている。ここにおいて、本実施形態では、確認信号用プリント配線１３０は、払出制御ＣＰＵ８４の確認信号出力ピン１２６とサブ制御側中継端子１２８の入力側を他の制御ＣＰＵを介さないで電気的に接続しているプリント配線である。また、図面上では明示されていないが、確認信号用プリント配線１３０上には、確認信号出力ピン１２６から出力された確認信号をサブ制御側中継端子１２８における所定のピンから外部に取り出せるようにするために、確認信号分岐手段が設けられている。この確認信号分岐手段は、例えば、複数の出力ポートを有していると共に、払出制御ＣＰＵ８４から出力された確認信号を指定された出力ポートから出力する信号分岐装置等で有利に構成することが出来る。また、入力端子１２２ｂは、払出制御基板８６上に形成された入力信号用プリント配線１３２（図６参照）によって、サブ制御側中継端子１２８の入力側に電気的に接続されており、それによって、賞球スイッチ７４からの検出信号がサブ制御側中継端子１２８から外部に取り出せるようになっている。
【００４２】
ここにおいて、本実施形態では、払出制御基板８６に設けられたサブ制御側中継端子１２８と主基板７８に設けられた主制御側中継端子１０６がハーネス等で構成された中継用配線１３４（図６参照）によって接続されており、それによって、払出制御ＣＰＵ８４に関する確認信号が払出制御ＣＰＵ８４における確認信号出力ピン１２６とサブ制御側中継端子１２８を接続する確認信号用プリント配線１３０，サブ制御側中継端子１２８と主制御側中継端子１０６を接続する中継用配線１３４および主制御側中継端子１０６とサブ制御用確認端子１０２を接続するサブ制御用プリント配線１０８を介して、サブ制御用確認端子１０２から外部に取り出すようになっている。このことから明らかなように、本実施形態では、確認信号用プリント配線１３０，中継用配線１３４およびサブ制御用プリント配線１０８を含んでサブ制御用確認信号配線が構成されている。
【００４３】
このような構造とされたパチンコ機１０の確認信号の出力に関する作動について、図６に基づいて、説明する。なお、試験を行うに際して、主基板７８の主制御用確認端子取付領域９６には、主制御用確認端子９４が取り付けられていると共に、主基板７８のサブ制御用確認端子取付領域１０４には、サブ制御用確認端子１０２が取り付けられており、また、図柄制御基板８２の確認用出力端子取付領域１１８には、確認用出力端子１１６が取り付けられている。そして、主制御用確認端子９４，サブ制御用確認端子１０２および確認用出力端子１１６は、ハーネス等によって、図示しない試験装置に接続されている。
【００４４】
先ず、発射ハンドル２８の回動操作によって遊技盤１２の上部に案内された遊技球が特別図柄始動口１４に入賞すると、特別図柄始動センサ４２が遊技球の入賞を検知して特別図柄始動信号を出力する。この特別図柄始動信号は、入力信号用プリント配線１００を介して主制御用確認端子９４に接続された図示しない試験装置に入力されるようになっていると共に、主制御ＣＰＵ７６に入力されるようになっている。また、主制御ＣＰＵ７６は、特別図柄始動信号を検出すると、大当たり判定動作，図柄設定動作および変動パターン設定動作を行った後、特別図柄変動指令を図柄制御ＣＰＵ８０に出力すると共に、所定個数の賞球の払出を行う払出制御指令を払出制御ＣＰＵ８４に出力する。その後、主制御ＣＰＵ７６は、特別図柄表示装置１８における図柄変動を停止するための特別図柄変動停止指令を図柄制御ＣＰＵ８０に出力する。
【００４５】
そこにおいて、大当たり判定動作に基づく判定結果が大当たりの場合には、特別図柄表示装置１８において大当たり図柄が遊技者に報知された後、主制御ＣＰＵ７６は、特別図柄が大当たりであることを知らせる特別図柄大当たり信号を確認信号出力ピン９２から主制御用プリント配線９８を介して主制御用確認端子９４に接続された試験装置に出力する。その後、主制御ＣＰＵ７６は、大入賞口５４を開放するためのソレノイド駆動信号を出力し、それによって、大入賞口ソレノイド６０が通電状態となり、大入賞口５４の入口が開放されることとなる。また、主制御ＣＰＵ７６は、大入賞口５４の入口を開放するためのソレノイド駆動信号を出力する際に、大入賞口５４の入口を開放することを知らせるために、大入賞口５４の入口を開放するためのソレノイド駆動信号を確認信号出力ピン９２から主制御用プリント配線９８を介して主制御用確認端子９４に接続された試験装置に出力するようになっていると共に、大入賞口５４の入口が開放されていることを知らせる大入賞口開放中信号を確認信号出力ピン９２から主制御用プリント配線９８を介して主制御用確認端子９４に接続された試験装置に出力するようになっている。
【００４６】
また、大入賞口５４の入口が開放されている状態下において、大入賞口５４内に設けられた大入賞口センサ５６が遊技球の入賞を検出すると、大入賞口入賞信号を出力するようになっている。この大入賞口入賞信号は、入力信号用プリント配線１００を介して主制御用確認端子９４に接続された試験装置に入力されるようになっていると共に、主制御ＣＰＵ７６に入力されるようになっている。また、主制御ＣＰＵ７６は、大入賞口入賞信号を検出すると、所定個数の賞球の払出を行う払出制御指令を払出制御ＣＰＵ８４に出力する。
【００４７】
一方、遊技球が始動ゲート４８を通過すると、通過スイッチ５０が遊技球の通過を検知して通過信号を出力する。この通過信号は、入力信号用プリント配線１００を介して主制御用確認端子９４に接続された試験装置に入力されるようになっていると共に、主制御ＣＰＵ７６に入力されるようになっている。また、主制御ＣＰＵ７６は、通過信号を検出すると、当たり判定動作および図柄設定動作を行った後、普通図柄変動指令を図柄制御ＣＰＵ８０に出力する。その後、主制御ＣＰＵ７６は、普通図柄表示装置４０における図柄変動を停止するための普通図柄変動停止指令を図柄制御ＣＰＵ８０に出力する。
【００４８】
そこにおいて、当たり判定動作に基づく判定結果が当たりの場合には、普通図柄表示装置４０において当たり図柄が遊技者に報知された後、主制御ＣＰＵ７６は、普通図柄が当たりであることを知らせる普通図柄当たり信号を確認信号出力ピン９２から主制御用プリント配線９８を介して主制御用確認端子９４に接続された試験装置に出力する。その後、主制御ＣＰＵ７６は、特別図柄始動口１４に設けられた一対の羽根４４，４４を開くためのソレノイド駆動信号を出力し、それによって、ソレノイドが通電状態となり、一対の羽根４４，４４が開くことで特別図柄始動口１４の入口が拡大されることとなる。また、主制御ＣＰＵ７６は、一対の羽根４４，４４を開くためのソレノイド駆動信号を出力する際に、特別図柄始動口１４の入口を拡大することを知らせるために、一対の羽根４４，４４を開くためのソレノイド駆動信号を確認信号出力ピン９２から主制御用プリント配線９８を介して主制御用確認端子９４に接続された試験装置に出力するようになっていると共に、特別図柄始動口１４の入口が拡大されていることを知らせる始動口開放中信号を確認信号出力ピン９２から主制御用プリント配線９８を介して主制御用確認端子９４に接続された試験装置に出力するようになっている。
【００４９】
また一方、遊技球が入賞口６２に入賞すると、入賞スイッチ６４が遊技球の入賞を検知して入賞信号を出力するようになっている。この入賞信号は、入力信号用プリント配線１００を介して主制御用確認端子９４に接続された試験装置に入力されるようになっていると共に、主制御ＣＰＵ７６に入力されるようになっている。また、主制御ＣＰＵ７６は、入賞信号を検出すると、所定数の遊技球の払出を行う払出制御信号を払出制御ＣＰＵ８４に出力するようになっている。
【００５０】
また、図柄制御ＣＰＵ８０は、主制御ＣＰＵ７６からの特別図柄変動指令を検出すると、特別図柄表示装置１８において、特別図柄の変動を開始するようになっている。そこにおいて、図柄制御ＣＰＵ８０は、特別図柄の変動が開始される際に、特別図柄が変動中であることを知らせる特別図柄変動中信号を確認信号出力ピン１１４から確認信号用プリント配線１２０を介して確認用出力端子１１６に接続された試験装置に出力されるようになっている。更に、図柄制御ＣＰＵ８０は、主制御ＣＰＵ７６からの特別図柄変動停止指令を検出すると、特別図柄判定動作に基づく図柄で特別図柄表示装置１８における特別図柄の変動を停止して、大当たり判定動作の判定結果を遊技者に報知するようになっている。そこにおいて、図柄制御ＣＰＵ８０は、特別図柄の変動を停止する際に、特別図柄の変動が停止したことを知らせる特別図柄変動停止信号を確認信号出力ピン１１４から確認信号用プリント配線１２０を介して確認用出力端子１１６に接続された試験装置に出力するようになっている。
【００５１】
また、図柄制御ＣＰＵ８０は、主制御ＣＰＵ７６からの普通図柄変動指令を検出すると、普通図柄表示装置４０において、普通図柄の変動を開始するようになっている。そこにおいて、図柄制御ＣＰＵ８０は、普通図柄の変動が開始される際に、普通図柄が変動中であることを知らせる普通図柄変動中信号を確認信号出力ピン１１４から確認信号用プリント配線１２０を介して確認信号出力端子１１４に接続された試験装置に出力されるようになっている。更に、図柄制御ＣＰＵ８０は、主制御ＣＰＵ７６からの普通図柄変動停止指令を検出すると、普通図柄判定動作に基づく図柄で普通図柄表示装置４０における普通図柄の変動を停止して、当たり判定動作の判定結果を遊技者に報知するようになっている。そこにおいて、図柄制御ＣＰＵ８０は、普通図柄の変動を停止する際に、普通図柄の変動が停止したことを知らせる普通図柄変動停止指令を確認信号出力ピン１１４から確認信号用プリント配線１２０を介して確認用出力端子１１６に接続された試験装置に出力するようになっている。
【００５２】
更にまた、払出制御ＣＰＵ８４は、主制御ＣＰＵ７６からの払出制御指令を検出すると、払出制御装置７０に設けられた賞球モータ７２を駆動する。その際、払出制御ＣＰＵ８４は、賞球モータ７２が駆動したことを知らせる賞球モータ駆動信号を出力する。そして、賞球モータ７２が駆動することによって遊技球が払い出されると、賞球スイッチ７４によって払い出された遊技球が検出されるようになっており、賞球スイッチ７４は遊技球を検出すると払出信号を出力するようになっている。この払出信号は、入力信号用プリント配線１３２，中継用配線１３４およびサブ制御用プリント配線１０８を介してサブ制御用確認端子１０２に接続された試験装置に入力されるようになっていると共に、払出制御ＣＰＵ８４に入力されるようになっている。また、払出制御ＣＰＵ８４は、払出制御ＣＰＵ８４に入力された払出信号を払出制御指令に基づいて払い出される賞球の数だけ検出すると、賞球モータ７２を停止するようになっている。その際、払出制御ＣＰＵ８４は、賞球モータ７２が停止したことを知らせる賞球モータ停止信号を確認信号出力ピン１２６から確認信号用プリント配線１３０，中継用配線１３４およびサブ制御用プリント配線１０８を介してサブ制御用確認端子１０２に接続された試験装置に出力するようになっている。
【００５３】
このような本実施形態に従う構造とされたパチンコ機１０においては、本実施形態のパチンコ機１０においては、主制御用確認端子取付領域９６とサブ制御用確認端子取付領域１０４が、主基板７８に形成されており、かかるサブ制御用確認端子取付領域１０４に取り付けられるサブ制御用確認端子１０２から払出制御ＣＰＵ８４に関する確認信号が取得されるようになっていることから、払出制御基板８６に実装される各種の回路素子の配置レイアウトに関する設計自由度を向上することが可能となり、それによって、パチンコ機１０の実際の作動状態におけるノイズ対策を有利に行うことが出来るのである。
【００５４】
また、本実施形態では、主制御ＣＰＵ７６に設けられた確認信号出力ピン９２と主制御用確認端子取付領域９６に取り付けることが出来る主制御用確認端子９４が図柄制御ＣＰＵ８０および払出制御ＣＰＵ８４を介さないで直接に接続されていると共に、払出制御ＣＰＵ８４に設けられた確認信号出力ピン１２６とサブ制御用確認端子取付領域１０４に取り付けることが出来るサブ制御用確認端子１０２が主制御ＣＰＵ７６および図柄制御ＣＰＵ８０を介さないで直接に接続されており、また、図柄制御ＣＰＵ８０の確認信号出力ピン１１４は、確認用出力端子取付領域１１８に取り付けることが出来る確認用出力端子１１６が主制御ＣＰＵ７６および払出制御ＣＰＵ８４を介さないで直接に接続されていることから、主制御ＣＰＵ７６は、主制御ＣＰＵ７６に関する確認信号を外部に直接出力することが出来ると共に、図柄制御ＣＰＵ８０も図柄制御ＣＰＵ８０に関する確認信号を外部に直接出力することが出来るのであり、また、払出制御ＣＰＵ８４も払出制御ＣＰＵ８４に関する確認信号を外部に直接出力することが出来るのである。
【００５５】
従って、本実施形態のパチンコ機１０においては、主制御ＣＰＵ７６および図柄制御ＣＰＵ８０，払出制御ＣＰＵ８４の各制御ＣＰＵに対して各制御ＣＰＵが制御する制御内容についての確認信号以外の確認信号を出力させないようにすることが可能となり、それによって、各制御ＣＰＵに対して他の制御ＣＰＵから出力される確認信号の仲介等を行わないようにすることが可能となり、パチンコ機１０の動作確認試験をパチンコ機１０の実際の作動状態に近い状態で行うことが出来るのである。
【００５６】
また、本実施形態においては、主制御ＣＰＵ７６に関する確認信号が確認信号出力ピン９２から出力されるようになっていると共に、図柄制御ＣＰＵ８４に関する確認信号が確認信号出力ピン１１４から出力されるようになっており、また、払出制御ＣＰＵ８４に関する確認信号が確認信号出力ピン１２６から出力されるようになっていることから、主制御ＣＰＵ７６から出力される確認信号と主制御ＣＰＵ７６によって制御された遊技動作との関連性および図柄制御ＣＰＵ８０から出力される確認信号と図柄制御ＣＰＵ８０によって制御された遊技動作との関連性，また、払出制御ＣＰＵ８４から出力される確認信号と払出制御ＣＰＵ８４によって制御された遊技動作との関連性を高度に確保することが出来るのであり、それによって、主制御ＣＰＵ７６および図柄制御ＣＰＵ８０，払出制御ＣＰＵ８４から出力される確認信号に対する信頼性を確保することが出来るのである。
【００５７】
さらに、本実施形態においては、主制御ＣＰＵ７６に関する確認信号が確認信号出力ピン９０と主制御用確認端子９４とを他の制御ＣＰＵ８０，８４を介さないで直接に接続する主制御用プリント配線９８を通じて取得されるようになっていると共に、図柄制御ＣＰＵ８０に関する確認信号が確認信号出力ピン１１４と確認用出力端子１１６とを他の制御ＣＰＵ７６，８４を介さないで直接に接続する確認信号用プリント配線１２０を通じて取得されるようになっており、また、払出制御ＣＰＵ８４に関する確認信号が確認信号出力ピン１２６とサブ制御側中継端子１２８を直接に接続する確認信号用プリント配線１３０，サブ制御側中継端子１２８と主制御側中継端子１０６を直接に接続する中継用配線１３４および主制御側中継端子１０６とサブ制御用確認端子１０２を直接に接続するサブ制御用プリント配線１０８を介して、取得されるようになっていることから、主制御用確認端子９４，サブ制御用確認端子１０２および確認用出力端子１１６から取得された信号が確認信号であるのか、それとも、他の制御信号であるのかの判断を不要とすることが可能となり、それによって、例えば、確認信号を受信する試験装置に対して予め確認信号と他の制御信号を区別させるための作業を不要とすることが可能となるのである。
【００５８】
以上、本発明の一実施形態について、詳述してきたが、これはあくまでも例示であって、本発明は、かかる実施形態における具体的な記載によって、何等、限定的に解釈されるものではない。
【００５９】
例えば、前記実施形態では、図柄制御ＣＰＵ８０に関する確認信号は図柄制御基板８２に形成された確認用出力端子取付領域１１８に取り付けられる確認用出力端子１１６から取得されるようになっているが、図７に示されているように、図柄制御ＣＰＵ８０に関する確認信号を主基板７８に形成されたサブ制御用確認端子取付領域１０４に取り付けられるサブ制御用確認端子１０２から取得されるようにしても良い。即ち、図７には、本発明の第二の実施形態としてのパチンコ機の確認信号の出力に関するブロック図が示されている。なお、以下の説明において、第一の実施形態と同様な構造とされた部材および部位については、図中に、第一の実施形態と同一の符号を付すことにより、それらの詳細な説明を省略する。
【００６０】
より詳細には、本実施形態の図柄制御基板１３６には、図８に示されているように、確認用出力端子取付領域（１１８）が形成されている代わりにサブ制御側中継端子１３８が取り付けられている。また、サブ制御側中継端子１３８と図柄制御ＣＰＵ８０の確認信号出力ピン１１４は、確認信号用プリント配線によって、直接に接続されている。
【００６１】
そして、図柄制御基板８２に取り付けられたサブ制御側中継端子１３８と主基板７８に取り付けられた主制御側中継端子９４が中継用配線１３４で接続されることによって図柄制御ＣＰＵ８０に関する確認信号が確認信号用プリント配線１２０，中継用配線１３４およびサブ制御用プリント配線１０８を介して、主基板７６に形成されたサブ制御用確認端子取付領域１０４に取り付けられるサブ制御用確認端子１０２から取得されるようになっている。このことから明らかなように、本実施形態では、確認信号用プリント配線１２０，中継用配線１３４およびサブ制御用プリント配線１０８を含んでサブ制御用確認信号配線が構成されている。
【００６２】
また、払出制御基板１４０には、図９に示されているように、サブ制御側中継端子（１２８）が取り付けられる代わりに確認用出力端子取付領域１４２が形成されており、かかる確認用出力端子取付領域１４２には、確認用出力端子１４４が取り付けられるようになっている。更に、確認用出力端子１４４と払出制御ＣＰＵ８４の確認信号出力ピン１２６は、確認信号用プリント配線１３０によって直接に接続されている。そして、払出制御ＣＰＵ８４に関する確認信号は、確認信号プリント配線１３０を介して確認用出力端子取付領域１４２に取り付けられる確認用出力端子１４４から取得されるようになっている。
【００６３】
このような本実施形態に従う構造とされたパチンコ機においては、主制御用確認端子取付領域９６とサブ制御用確認端子取付領域１０４が、主基板７８に形成されており、かかるサブ制御用確認端子取付領域１０４に取り付けられるサブ制御用確認端子１０２から払出制御ＣＰＵ８４に関する確認信号が取得されるようになっていることから、第一の実施形態と同様な効果を得ることが出来るのである。
【００６４】
また、前記第一および第二の実施形態では、主基板７６に一つのサブ制御用確認端子取付領域１０４が形成されており、かかるサブ制御用確認端子取付領域１０４に一つのサブ制御用確認端子１０２が取り付けられるようになっていたが、図１０および図１１に示されているように、主基板１４６に二つのサブ制御用確認端子取付領域１０４，１４８を形成し、サブ制御用確認端子取付領域１０４に対して一つのサブ制御用確認端子１０２を取り付けると共に、サブ制御用確認端子取付領域１４８に対して一つのサブ制御用確認端子１５０を取り付けるようにしても良い。即ち、図１０には、本発明の第三の実施形態としてのパチンコ機に採用されている主基板１４６が示されており、また、図１１には、本発明の第三の実施形態としてのパチンコ機における確認信号の出力に関するブロック図が示されている。なお、以下の説明において、第一の実施形態と同一の部材および部位については、図中に、第一の実施形態と同一の符号を付すことにより、それらの詳細な説明を省略する。
【００６５】
より詳細には、本実施形態の主基板１４６には、サブ制御用確認端子取付領域１０４に加えて、サブ制御用確認端子取付領域１４８が形成されており、かかるサブ制御用確認端子取付領域１４８には、サブ制御用確認端子１５０が取り付けられるようになっている。また、主基板１４６には、主制御側中継端子１０６に加えて、主制御側中継端子１５２が取り付けられている。そして、主制御側中継端子１５２とサブ制御用確認端子１５０は、サブ制御用プリント配線１５４によって直接に接続されている。
【００６６】
また、本実施形態の図柄制御基板１３６は、第二の実施形態と同一のものが採用されていることから、図中に、第二の実施形態と同一の符号を付すことにより、それらの詳細な説明を省略する。
【００６７】
そして、図柄制御基板１３６に取り付けられたサブ制御側中継端子１３８と主基板７８に取り付けられた主制御側中継端子１５２が中継用配線１５６で接続されることによって図柄制御ＣＰＵ８０に関する確認信号が確認信号用プリント配線１２０，中継用配線１５６およびサブ制御用プリント配線１５４を介して、主基板１４６に形成されたサブ制御用確認端子取付領域１４８に取り付けられるサブ制御用確認端子１５０から取得されるようになっていると共に、払出制御基板８６に取り付けられたサブ制御側中継端子１２８と主基板１４６に取り付けられた主制御側中継端子１０６が中継用配線１３４で接続されることによって払出制御ＣＰＵ８４に関する確認信号が確認信号用プリント配線１３０，中継用配線１３４およびサブ制御用プリント配線１０８を介して、主基板１４６に形成されたサブ制御用確認端子取付領域１０４に取り付けられるサブ制御用確認端子１０２から取得されるようになっている。
【００６８】
このような本実施形態に従う構造とされたパチンコ機においては、主制御用確認端子取付領域９６とサブ制御用確認端子取付領域１０４，１４８が、主基板１４６に形成されており、かかるサブ制御用確認端子取付領域１０４，１４８に取り付けられるサブ制御用確認端子１０２，１５０から払出制御ＣＰＵ８４および図柄制御ＣＰＵ８０に関する確認信号が取得されるようになっていることから、第一の実施形態と同様な効果を得ることが出来るのである。
【００６９】
また、主制御ＣＰＵ７６，図柄制御ＣＰＵ８０および払出制御ＣＰＵ８４から出力される確認信号は、前記実施形態に限定されるものではない。
【００７０】
加えて、前記実施形態では、第一種パチンコ機に本発明を適用したものの位置具体例を示したが、本発明は、第２種パチンコ機や第３種パチンコ機等の他の遊技機に対して適用可能であることは、言うまでもない。
【００７１】
その他、一々列挙はしないが、本発明は、当業者の知識に基づいて、種々なる変更，修正，改良等を加えた態様において実施され得るものであり、また、そのような実施態様が、本発明の趣旨を逸脱しない限り、何れも、本発明の範囲内に含まれるものであることは、言うまでもない。
【００７２】
【発明の効果】
上述の説明から明らかなように、本発明に従う構造とされた遊技機においては、主制御用出力端子取付領域とサブ制御用出力端子取付領域が、主制御ＣＰＵが実装されている制御基板およびサブ制御ＣＰＵが実装されている制御基板の何れか一つの制御基板に形成されていることから、主制御用出力端子取付領域に主制御用出力端子を取り付ける作業およびサブ制御用出力端子取付領域にサブ制御用出力端子を取り付ける作業を効率良く行うことが出来るのである。
【図面の簡単な説明】
【図１】本発明の第一の実施形態としてのパチンコ機を示す正面図である。
【図２】図１に示されたパチンコ機の裏側を示す図である。
【図３】図１に示されたパチンコ機に採用されている主基板の平面図である。
【図４】図１に示されたパチンコ機に採用されている図柄制御基板の平面図である。
【図５】図１に示されたパチンコ機に採用されている払出制御基板の平面図である。
【図６】図１に示されたパチンコ機の確認信号の出力に関するブロック図である。
【図７】本発明の第二の実施形態のパチンコ機における確認信号の出力を示すブロック図である。
【図８】本発明の第二の実施形態のパチンコ機に採用されている図柄制御基板の平面図である。
【図９】本発明の第二の実施形態のパチンコ機に採用されている払出制御基板の平面図である。
【図１０】本発明の第三の実施形態のパチンコ機における確認信号の出力を示すブロック図である。
【図１１】本発明の第三の実施形態のパチンコ機で採用されている主基板の平面図である。
【符号の説明】
１０　パチンコ機
１２　遊技盤
１８　特別図柄表示装置
４０　普通図柄表示装置
７０　賞球払出装置
７２　賞球モータ
７６　主制御ＣＰＵ
８０　図柄制御ＣＰＵ
８４　払出制御ＣＰＵ
９２　確認信号出力ピン
９４　主制御用確認端子
９６　主制御用確認端子取付領域
９８　主制御用プリント配線
１０２　サブ制御用試験端子
１０４　サブ制御用確認端子取付領域
１２６　確認信号出力ピン
【図１】
2004105467.tif 000003
【図２】
2004105467.tif 000004
【図３】
2004105467.tif 000005
【図４】
2004105467.tif 000006
【図５】
2004105467.tif 000007
【図６】
2004105467.tif 000008
【図７】
2004105467.tif 000009
【図８】
2004105467.tif 000010
【図９】
2004105467.tif 000011
【図１０】
2004105467.tif 000012
【図１１】
2004105467.tif 000013